(57)【要約】【課題】キャリアアグリゲーションを行う際に、基地局で簡易な手法で効率よく最適なセル設定を行う。【解決手段】キャリアアグリゲーション設定時に、基地局は移動局から受信する測定結果に基づいて、前記移動局に割り当てられているプライマリセルに変更が生じるか否かの第１判断を行い、前記プライマリセルに変更が無い場合に、前記基地局はベースバンド処理情報に基づいて前記プライマリセルを除くキャリアアグリゲーション対象セルの各々についてセカンダリセルの設定が可能か否かの第２判断を行い、前記第２判断の結果に基づいて、前記移動局に対して前記セカンダリセルを設定してセル設定処理を完了するか、前記セル設定処理を中止するか、あるいは前記セル設定処理をリトライするかを判断し、前記第２判断で前記セカンダリセルの設定が不適切であると判断した場合に、前記不適切とされる要因に応じて前記リトライを決定する。【選択図】図６
2015106903.tif 000002
【特許請求の範囲】
【請求項１】
複数のコンポーネントキャリアを同時に使用して通信を行うキャリアアグリゲーションを採用する移動通信システムにおけるセル設定方法であって、
基地局が移動局から受信する測定結果に基づいて、前記移動局に割り当てられているプライマリセルに変更が生じるか否かの第１判断を行い、
前記プライマリセルに変更が無い場合に、前記基地局が、ベースバンド処理情報に基づいて、前記プライマリセルを除くキャリアアグリゲーション対象セルの各々についてセカンダリセルの設定が可能か否かの第２判断を行い、
前記第２判断の結果に基づいて、前記移動局に対して前記セカンダリセルを設定してセル設定処理を完了するか、前記セル設定処理を中止するか、あるいは前記セル設定処理をリトライするかを判断し、
前記基地局は、前記第２判断で前記セカンダリセルの設定が不適切であると判断した場合に、前記不適切とされる要因に応じて前記リトライを決定する、
ことを特徴とするセル設定方法。
【請求項２】
前記第２判断において、前記プライマリセルを除く前記キャリアアグリゲーション対象セルの中に前記移動局に付与されるセル識別子を使用することができないセルがあると判断された場合に、前記リトライが決定されることを特徴とする請求項１に記載のセル設定方法。
【請求項３】
前記プライマリセルに変更が無い場合に、ランダムアクセス手続き無しに前記第２判断を行い、
前記第２判断において、前記プライマリセルを除く前記キャリアアグリゲーション対象セルの中に、前記移動局に付与されるセル識別子を使用することができないセルがあると判断された場合に、前記基地局は、ランダムアクセス手続きを行なった後に、前記セル設定処理をリトライすることを特徴とする請求項１に記載のセル設定方法。
【請求項４】
前記第２判断において、前記プライマリセルを除く前記キャリアアグリゲーション対象セルにおいて前記移動局に割り当てるべき無線リソースが不足していると判断された場合に、前記セル設定処理を中止することを特徴とする請求項１に記載のセル設定方法。
【請求項５】
前記プライマリセルに変更がある場合は、前記基地局は、ランダムアクセス手続きの後に、前記ベースバンド処理情報に基づいて、前記プライマリセルを含むすべての前記キャリアアグリゲーション対象セルの各々について、前記プライマリセルまたは前記セカンダリセルの設定が可能か否かの第３判断を行い、
前記第３判断で、前記プライマリセルの設定が可能でないと判断された場合に、前記セル設定処理を中止することを特徴とする請求項１に記載のセル設定方法。
【請求項６】
複数のコンポーネントキャリアを同時に使用して通信を行うキャリアアグリゲーションを採用する移動通信システムで用いられる基地局装置であって、
移動局から受信する測定結果に基づいて、前記移動局に割り当てられているプライマリセルに変更が生じるか否かの第１判断を行う制御部と、
前記プライマリセルに変更が無い場合に、前記制御部の要求に応じて、ベースバンド処理情報を前記制御部に供給するベースバンド処理部と、
を有し、
前記制御部は、前記ベースバンド処理情報に基づいて、前記プライマリセルを除くキャリアアグリゲーション対象セルの各々についてセカンダリセルの設定が可能か否かの第２判断を行い、前記第２判断の結果に基づいて、前記移動局に対して前記セカンダリセルを設定してセル設定処理を完了するか、前記セル設定処理を中止するか、あるいは前記セル設定処理をリトライするかを判断し、
前記制御部は、前記第２判断で前記セカンダリセルの設定が不適切であると判断した場合に、前記不適切とされる要因に応じて前記リトライを行なうか否かを決定する、
ことを特徴とする基地局装置。
【請求項７】
前記制御部は、前記第２判断において、前記プライマリセルを除く前記キャリアアグリゲーション対象セルの中に、前記移動局に付与されるセル識別子を使用することができないセルがあると判断した場合に、前記リトライを決定することを特徴とする請求項６に記載の基地局装置。
【請求項８】
前記制御部は、前記プライマリセルに変更が無い場合は、ランダムアクセス手続き無しに前記第２判断を行い、
前記第２判断において、前記プライマリセルを除く前記キャリアアグリゲーション対象セルの中に、前記移動局に付与されるセル識別子を使用することができないセルがあると判断された場合は、前記制御部はランダムアクセス手続きの後に前記セル設定処理をリトライすることを特徴とする請求項６に記載の基地局装置。
【請求項９】
前記制御部は、前記第２判断において、前記プライマリセルを除く前記キャリアアグリゲーション対象セルの中に前記移動局に割り当てるべき無線リソースがないと判断した場合に、前記セル設定処理を中止することを特徴とする請求項１に記載の基地局装置。
【請求項１０】
前記制御部は、前記プライマリセルに変更がある場合にランダムアクセス手続きを制御するランダムアクセス制御部を含み、
前記制御部は、前記ランダムアクセス手続きの後に、前記ベースバンド処理情報に基づいて、前記プライマリセルを含むすべての前記キャリアアグリゲーション対象セルの各々について、前記プライマリセルまたは前記セカンダリセルの設定が可能か否かの第３判断を行い、
前記第３判断で、前記プライマリセルの設定が可能でないと判断した場合に、前記セル設定処理を中止することを特徴とする請求項６に記載の基地局装置。
【発明の詳細な説明】
【技術分野】
【０００１】
本発明は、広くは無線通信技術の分野に関し、特に、キャリアアグリゲーション対応時のセル設定の最適化技術に関する。
【背景技術】
【０００２】
３ＧＰＰ（3rd Generation Partnership Project）では、ＬＴＥ（Long Term Evolution）を発展させた無線インタフェースであるLTE-Advanced（「ＬＴＥ−Ａ」と略称する）の標準化が進められている。
【０００３】
ＬＴＥ−Ａの導入に伴い、３ＧＰＰで規定されているキャリアアグリゲーション（Carrier Aggregation）機能が導入される。キャリアアグリゲーションとは、ＬＴＥシステムで用いられる複数のキャリア周波数（「コンポーネントキャリア」と呼ばれる）を複数のセルから集めて通信することで、広帯域化を実現する技術である。キャリアアグリゲーションでは、プライマリセル（PCell）の他に１以上のセカンダリセル（SCell）を設定し、複数のセルからの同時通信が可能である。
【０００４】
基地局は、受信品質やリソース状況に基づいて、自局が管轄する地理的エリア内でユーザ装置にとって最適なコンポーネントキャリアを運用するセルをプライマリセルとして設定し、プライマリセル以外に通信品質の良好なセルをセカンダリセルに設定する。プライマリセルやセカンダリセルは、ユーザ装置の無線環境の変化に応じて適宜変更される。同一基地局の管轄エリア内でプライマリセルを変更することを基地局内（Intra-eNB）ハンドオーバという。
【０００５】
ＬＴＥ−Ａでは、ＲＲＣ（Radio Resource Control：無線リソース制御）メッセージの規定上、PCellの変更（ハンドオーバ）と、SCellの追加／削除を同時に実施することが可能である。この場合、図１に示すように、SCellの追加／削除とハンドオーバ（ＨＯ）を独立してシリアルに実施する方法と、図２に示すように、一度にパラレルに実施する方法がある。
【０００６】
あるユーザ装置（User Equipment：ＵＥ）が基地局（Evolved Node B：ｅＮＢ）との間の通信でセル＃１をPCellとして設定し、セル＃３をSCellとして保持しているとする。ユーザ装置からのメジャーメントレポートに基づいて、基地局がセル＃２をSCellとして追加し、セル＃３をSCellから削除し、セル＃４をPCellに設定（ハンドオーバ）する場合を考える。
【０００７】
図１のシリアル処理を行なう場合は、ｅＮＢはＵＥに対して、コネクションセットアップのための「RRC Connection Reconfiguration（ＲＲＣコネクション再設定）」メッセージを用いて、時系列的にセル＃２の追加を指示し、次にセル＃３の削除を指示し、次にセル＃４へのハンドオーバを指示する。
【０００８】
図２のパラレル処理を行なう場合は、セル＃４へのハンドオーバ指示と、セル＃３の削除指示と、セル＃２の追加指示を一度に行なう。
【０００９】
なお、基地局が移動局からの測定結果に基づいて、PCellのみに変更が生じるか、PCellと少なくとも１つのSCellに変更が生じるか、あるいは少なくとも１つのSCellのみに変更が生じるかを判断し、変更が生じるPCell又はSCellに対応するコンポーネントキャリアの測定結果情報だけを初期化する方法が提案されている（たとえば、特許文献１参照）。
【先行技術文献】
【特許文献】
【００１０】
【特許文献１】特開２０１２−００５０８４
【非特許文献】
【００１１】
【非特許文献１】3CPP TS 36.331
【発明の概要】
【発明が解決しようとする課題】
【００１２】
図１のシリアル処理は、基地局での処理がシンプルであるが、総処理時間が長くなり、ユーザ装置と基地局の間でやりとりするメッセージ量が増大する。
【００１３】
図２のパラレル処理は、総処理時間が短縮され、ユーザ装置と基地局装置の間でやり取りされるメッセージ量が少なくて済むが、基地局での処理が複雑になる。基地局での処理が複雑化すると処理時間が長くなり、ユーザ装置がキャリアアグリゲーションによる効果を得るまでに時間がかかる。また、処理量が増えると、基地局内で同時処理が可能な呼数が減少し、他のユーザ装置への影響が懸念される。
【００１４】
メジャーメントレポートの結果次第で、セカンダリセル（SCell）の追加、削除、及び継続設定の要求が同時に発生することが考えられるが、基地局でリソース不足等の理由によりそのセルをユーザ装置のために設定することができない場合が起こり得る。
【００１５】
そこで、基地局装置での処理を極力簡易にし、各セルの設定可否状況に応じた最適なセル設定（セカンダリセルの追加、削除、継続設定を含む）を効率的に行う構成と手法を提供することを課題とする。
【課題を解決するための手段】
【００１６】
上記課題を解決するために、実施形態では、まず、プライマリセル（PCell）の変更の有無、すなわちハンドオーバの要否に応じて処理を分岐させ、セルごとにセル設定の可否状況を判断する。さらに、設定不可と判断される場合に、設定不可の要因に応じてリトライするか設定中止とするかを判断する。設定が可能な場合は、正常処理が可能なセルをプライマリセル及び／又はセカンダリセルに設定して設定を完了する。設定中止の場合は、全てのセルの処理を中止し元の状態に戻す。
【００１７】
より具体的には、第１の態様では、複数のコンポーネントキャリアを同時に使用して通信を行うキャリアアグリゲーションを採用する移動通信システムにおけるセル設定方法を提供する。この方法は、
基地局が移動局から受信する測定結果に基づいて、前記移動局に割り当てられているプライマリセルに変更が生じるか否かの第１判断を行い、
前記プライマリセルに変更が無い場合に、前記基地局が、ベースバンド処理情報に基づいて、前記プライマリセルを除くキャリアアグリゲーション対象セルの各々についてセカンダリセルの設定が可能か否かの第２判断を行い、
前記第２判断の結果に基づいて、前記移動局に対して前記セカンダリセルを設定してセル設定処理を完了するか、前記セル設定処理を中止するか、あるいは前記セル設定処理をリトライするかを判断し、
前記基地局は、前記第２判断で前記セカンダリセルの設定が不適切であると判断した場合に、前記不適切とされる要因に応じて前記リトライを決定する、
ことを特徴とする。
【００１８】
第２の態様では、複数のコンポーネントキャリアを同時に使用して通信を行うキャリアアグリゲーションを採用する移動通信システムで用いられる基地局装置を提供する。この基地局装置は、
移動局から受信する測定結果に基づいて、前記移動局に割り当てられているプライマリセルに変更が生じるか否かの第１判断を行う制御部と、
前記プライマリセルに変更が無い場合に、前記制御部の要求に応じて、ベースバンド処理情報を前記制御部に供給するベースバンド処理部と、
を有し、
前記制御部は、前記ベースバンド処理情報に基づいて、前記プライマリセルを除くキャリアアグリゲーション対象セルの各々についてセカンダリセルの設定が可能か否かの第２判断を行い、前記第２判断の結果に基づいて、前記移動局に対して前記セカンダリセルを設定してセル設定処理を完了するか、前記セル設定処理を中止するか、あるいは前記セル設定処理をリトライするかを判断し、
前記制御部は、前記第２判断で前記セカンダリセルの設定が不適切であると判断した場合に、前記不適切とされる要因に応じて前記リトライを行なうか否かを決定する、
ことを特徴とする。
【発明の効果】
【００１９】
基地局装置での処理の複雑化を抑制し、キャリアアグリゲーションのための最適なセル設定を効率的に行うことができる。
【図面の簡単な説明】
【００２０】
【図１】キャリアアグリゲーションにおいてPCellの変更（ハンドオーバ）とSCellの追加／削除等を独立してシリアルに実施する例を示す図である。
【図２】キャリアアグリゲーションにおいてPCellの変更（ハンドオーバ）とSCellの追加／削除等をパラレルに実施する例を示す図である。
【図３】本発明が適用される無線通信システムの概要を示す図である。
【図４】実施形態で用いられる基地局装置の概略構成図である。
【図５】設定前と設定後のPCell及びSCellのセルインデックスの例である。
【図６】ｅＮＢで行われるセル設定処理フローの例である。
【発明を実施するための形態】
【００２１】
図３は、本発明が適用される移動通信システムの概要を示す図である。基地局装置（ｅＮＢ）１０は、自局が管轄する地理的エリア１内に、キャリアアグリゲーション（ＣＡ）エリア２ａ、２ｂを有する。図示はしないが、ＣＡエリア２ａ、２ｂ内では、スモールｅＮＢなどを配置することによって、第１周波数帯域内のコンポーネントキャリアが用いられる第１セル（通信エリア）と、第２周波数帯域内のコンポーネントキャリアが用いられる第２セル（通信エリア）が重畳して存在する。
【００２２】
たとえば、１．５ＧＨｚ帯のコンポーネントキャリアを用いるセルと、２ＧＨｚ帯のコンポーネントキャリアを用いるセルが重畳してＣＡエリア２ａ、２ｂ内に存在する。ＣＡエリア２ａ、２ｂでは、キャリアアグリゲーション対応のユーザ装置（移動局）２０は、１．５ＧＨｚ帯域内に含まれる複数のコンポーネントキャリア、又は２ＧＨｚ帯域内に含まれる複数のコンポーネントキャリアを束ねて同時に通信することも可能であるし、１．５ＧＨｚ帯域のコンポーネントキャリアと、２ＧＨｚ帯域のコンポーネントキャリアを束ねた通信も可能である。さらに別の周波数帯域（たとえば８００ＭＨｚ帯）のコンポーネントキャリアを運用する第３セルがＣＡエリア２ａ、２ｂに重畳されてもよい。
【００２３】
ＣＡエリア２ａ、２ｂでは、たとえば、プライマリセル（PCell）と、最大４つのセカンダリセル（SCell）からの同時通信が可能である。プライマリセルは、キャリアアグリゲーションの対象となるセルのうち、最も通信品質が安定または良好なセルである。モビリティ制御情報やセキュリティ情報などの上位レイヤからのシグナリング情報は、プライマリセルのコンポーネントキャリアを用いて送信される。
【００２４】
キャリアアグリゲーションは、たとえばユーザ装置２０宛ての下りリンクデータ、あるいはユーザ装置２０からの上りリンクデータが大量に発生する場合に実施される。キャリアアグリゲーションが設定されると、基地局装置１０とユーザ装置２０との間の主要な通信を担うセル（プライマリセル）に加えて、ユーザ装置２０にとって無線品質の良好なセルがセカンダリセルに設定され、プライマリセルのコンポーネントキャリアと、セカンダリセルのコンポーネントキャリアを同時に用いた通信が行われる。
【００２５】
図４は、実施形態の基地局装置１０の概略構成図である。基地局装置１０は、制御部１１と、ベースバンド処理部１２と、バックホール通信部１３と、無線信号送受信部１４を有する。バックホール通信部１３は、基地局装置１０とコアネットワークを接続するバックホールとの通信を行う。基地局装置１０は、バックホール通信部１３により隣接する基地局装置や、サービスゲートウェイあるいは上位装置との間でデータやメッセージの送受信を行う。隣接する基地局装置とは、隣接する地理的エリアを管轄する基地局装置のほかに、基地局装置１０が管轄する地理的エリア内に配置される別の基地局装置（たとえばスモールｅＮＢなど）も含む。
【００２６】
無線信号送受信部１４は、アンテナ装置１５を介して、基地局装置１０が管轄する地理的エリア内のユーザ装置２０と送受信を行う。アンテナ装置１５は複数のアンテナ素子がアレイ状態に配置されたアレイアンテナや、アンテナ素子が３次元配置された３Ｄアンテナであってもよい。
【００２７】
制御部１１は、後述するように、最適なセル設定のための処理判断や制御を行なう。また、基地局装置１０内の各機能への制御指示や処理判断を行う。ベースバンド処理部１２は、レイヤ１及びレイヤ２（Ｌ１／Ｌ２）の処理を実施し、ユーザ装置２０に割り当てる下りリンク無線リソースや上りリンク無線リソースを管理する。ベースバンド処理部１２は、ベースバンドリソースの確保を行い、キャリアアグリゲーションの対象となる各セルのセル設定可否状況を管理する。また、制御部１１の要求に応じて、キャリアアグリゲーションの対象セルごとの設定可否状況を応答する。
【００２８】
制御部１１は、セル変更判断部１１１と、キャリアアグリゲーション（ＣＡ）設定部１１３と、ランダムアクセス（ＲＡ）制御部１１２と、設定中止部１１４を有する。
【００２９】
セル変更判断部１１１は、無線信号送受信部１４でユーザ装置２０から受信したメジャーメントレポート（測定結果）に基づいて、まず最初に、このユーザ装置２０に対して設定されているプライマリセル（PCell）に変更が生じるか否かを判断する。PCellの変更が生じる場合とは、たとえば、ユーザ装置２０にとってのプライマリコンポーネントキャリアを運用しているセルの無線品質が劣化し、同一基地局装置１０に属する別のコンポーネントキャリアを運用するセルの無線品質がユーザ装置２０にとって良好になった場合である。
【００３０】
PCellの変更の有無は、たとえば、ユーザ装置２０でPCellに設定されているセルの識別番号と、このユーザ装置２０に対してPCellに設定しようとするセルの識別番号を比較することで判断される。キャリアアグリゲーションの対象となるプライマリセルとセカンダリセルには、基地局装置１０とユーザ装置２０との間で共通の識別番号（セルインデックス）が付与されている。
【００３１】
図５は、対象セルに付与されるセルインデックスの例を示す。設定前は、ユーザ装置２０においてセルインデックス「１」のセルがPCellに設定されており、セルインデックスが「２」〜「５」のセルがSCellに設定されている。設定後は、ユーザ装置２０に対してセルインデックス「Ａ」のセルがPCellに設定され、セルインデックス「Ｂ」〜「Ｅ」のセルがSCellに設定される。この場合、Ａ＝１であるならばユーザ装置２０に対するPCellの変更はない。Ａ≠１であるならば、ユーザ装置２０に対するPCellの変更（ｅＮＢ内ハンドオーバ）があることを意味する。
【００３２】
セル変更判断部１１１は、PCell変更の有無の判断に引き続き、PCell及びSCellの設定（追加、削除、及び継続設定を含む）の可否判断に必要な情報をベースバンド処理部１２に問い合わせる。ベースバンド処理部１２のセル設定可否情報応答部１２１は、Ｃ−ＲＮＴＩ（Cell Radio Network Temporary Identifier）の使用状況やベースバンドリソースの空き状況などのベースバンド処理情報に応じて、セル設定可否情報を制御部１１に応答する。セル変更判断部１１１はベースバンド処理部１２の応答に基づいて、キャリアアグリゲーションの対象となるセルごとに、セル設定の可否を判断する。
【００３３】
ＣＡ設定部１１３は、PCellの変更がなくその他のセルの中にSCell設定が可能なセルが有る場合や、PCellの変更があり、PCell及びその他のセルの中にSCell設定が可能なセルが有る場合に、新たなセル構成でのキャリアアグリゲーションの設定を完了する。ＣＡ設定部１１３は、設定完了結果を通知する「RRC Connection Reconfiguration」メッセージを生成する。無線信号送受信部１４は、生成されたメッセージをアンテナ装置１５からユーザ装置２０に送信する。ユーザ装置２０は、通知されたメッセージに応じて、自局に設定されたPCell及び／又はSCellを変更し、変更後のコンポーネントキャリアの集合体を用いて基地局装置１０と通信する。
【００３４】
セル変更判断部１１１は、ベースバンド処理部１２からのセル設定可否情報に含まれる設定不可となる要因に応じて、セル設定をリトライするか否かを判断し、リトライしない場合はセル設定の中止を決定する。セル設定の中止に至る要因とは、たとえば、PCellに変更はないが、正常な設定処理をできるSCellがない場合や、PCellの変更があるにもかかわらず、変更後のPCellに正常な設定処理が行なわれない場合である。正常な設定処理が行なわれない場合とは、たとえば、キャリアアグリゲーションに使用するベースバンドリソースが不足している場合である。リトライを行うのは、現状ではＣ−ＲＮＴＩが使用できないがＲＡＣＨ手続きを行なうことで新たなＣ−ＲＮＴＩの付与が可能な場合などである。
【００３５】
設定中止部１１４は、セル変更判断部１１１の中止判断に基づいて、セル設定の処理を中止し、もとのセル設定状態、すなわちＣＡ設定前の状態に戻す。
【００３６】
ランダムアクセス制御部１１２は、セル変更判断部１１１の判断に基づいて、PCellの変更がある場合やＣ−ＲＮＴＩが使用できない場合に、ＲＡＣＨ手続きを行なう。ＰＡＣＨ手続きにより、ユーザ装置２０に対して新たなＣ−ＲＮＴＩが付与される。セル変更判断部１１１は、ＲＡＣＨ手続き後のベースバンドリソース状況に応じて、設定を完了するか設定を中止するかを判断する。ＣＡ設定部１１３と設定中止部１１４は、セル変更判断部１１１の判断結果に応じた処理を行なう。
【００３７】
このように、実施形態の基地局装置（ｅＮＢ）１０では、まずPCellの変更の有無を判断し、その後、キャリアアグリゲーションの対象となるセルごとに設定の可否を判断し、設定不可となる要因に応じて、キャリアアグリゲーションのためのセル設定をリトライするか、中止するかを判断する。これにより、簡易な処理で効率的にキャリアアグリゲーションの設定変更を行うことができる。
【００３８】
図６は、基地局装置１０の制御部１１が行う処理フローを示す。図６のフローに先立って、基地局装置１０は、ユーザ装置２０からＣＡ対象セルについてのメジャーメントレポートを受信しているものとする。メジャーメントレポートは、受信環境の良いコンポーネントキャリアの情報だけが通知されてもよいし、複数のPCell候補と複数のSCell候補をまとめてメジャーメントレポートに含めたものであってもよい。
【００３９】
基地局装置１０はまず、PCellの変更の有無を判断する（Ｓ１０１；判定１）。図５を参照して説明したように、ユーザ装置２０に対してPCellに設定しようとしているセルのインデックス「Ａ」が、ユーザ装置２０において従前までPCellとして設定されていたセルのインデックス「１」と同じ場合は、PCellの変更が無いと判断される。
【００４０】
PCellの変更が無い場合は、ＲＡＣＨ手続きを行なわなくてもSCellを設定できる可能性が高い。したがって、この段階ではＲＡＣＨ手続きを行なわない（Ｓ１０２）。次に、SCell候補となるセルインデックスＢ〜Ｅの中で、１つでもユーザ装置２０にとってＣ−ＲＮＴＩが使用できないセルがあるか否かを判断する（Ｓ１０３；判定２）。Ｃ−ＲＮＴＩが使用できないセルがない場合、すなわちＢ〜Ｅのすべてでユーザ装置２０に重複無くＣ−ＲＮＴＩを付与できる場合は、Ｓ１０５に進む。Ｓ１０５で、セルインデックスＢ〜Ｅの中で正常処理が可能なセルがあるか否かを判断する（判定３）。
【００４１】
セルインデックスＢ〜Ｅの中に１つ以上正常処理が可能なセルがある場合（Ｓ１０５でｙｅｓ）は、正常処理が可能なセルをSCellとして設定し、設定を完了する（Ｓ１０６）。この場合、正常処理ができないと判断されたセル（たとえば、そのセルでベースバンドリソースが不足してユーザ装置２０に対してSCellに設定できないセル）は、リトライしても再び設定不可となる蓋然性が高い。したがって、Ｓ１０６では、１０５で正常処理が可能と判断されたセルだけをSCellに設定する。Ｓ１０５でＢ〜Ｅの中に正常処理可能なセルがないと判断された場合は、その段階で設定を中止し、次のメジャーメントレポートの受信を待機する。
【００４２】
Ｓ１０１から、Ｓ１０２、Ｓ１０３、Ｓ１０５を経てＳ１０６に至るフローは、PCellの変更が無く、かつユーザ装置２０に対して重複なしにSCellのＣ−ＲＮＴＩが付与され、ベースバンドリソースも足りている場合である。この場合は、ＲＡＣＨ手続き無しにSCellの追加、削除、及び継続設定が可能となり、処理時間の短縮が実現する。
【００４３】
他方、Ｓ１０３で、セルインデックスＢ〜Ｅの中に、１つでもＣ−ＲＮＴＩの使用ができないセルがあると判断された場合は、ＲＡＣＨ手続き無しでのSCell設定を中止し（Ｓ１０８）、Ｓ１１０でＲＡＣＨ手続きを試みる。ＲＡＣＨ手続きを行なうことによってユーザ装置２０に新たなＣ−ＲＮＴＩが割り当てられれば、SCellを設定できる可能性が高いからである。なお、Ｓ１０３からＳ１０８を経てＳ１１０で行うＲＡＣＨ手続きは、ベースバンド処理部１２でベースバンドリソース有りと判断されたセルに対してのみ行うのが望ましい。ベースバンドリソースが不足しているセルに対してＲＡＣＨ手続きを行なっても、SCellに設定できる見込みがほとんど無いからである。この意味で、Ｓ１０８とＳ１１０の間に、Ｓ１０５と同様の判定３を行なってもよい。
【００４４】
Ｓ１０１でPCellの変更ありと判断された場合は、基地局内ハンドオーバが行なわれるので、Ｓ１１０にジャンプしてＲＡＣＨ手続きを行なう。ＲＡＣＨ手続きの後、ＣＡ対象のセルＡ〜Ｅのすべてが正常処理可能か否かを判断する（Ｓ１１１；判定４）。Ａ〜Ｅのすべてが正常処理可能な場合とは、たとえば、すべてのセルＡ〜Ｅでユーザ装置２０に対して重複なしにＣ−ＲＮＴＩが付与され、かつユーザ装置２０に割り当てるベースバンドリソースが存在する場合である。この場合は、セルＡをPCellとして設定し、セルＢ〜ＥをSCellとして設定することが可能なので、Ｓ１１２で設定を完了する。
【００４５】
Ｓ１１１でＡ〜Ｅのうち、正常処理ができないセルが１つでもある場合は（Ｓ１１１でｎｏ）は、PCell候補であるセルＡが正常処理可能かどうかを判断する（Ｓ１１３；判定５）。Ａが正常処理可能であれば（Ｓ１１３でｙｅｓ）、PCellをセルインデックスＡのセルに設定変更し、セルインデックスＢ〜Ｅのうち、正常処理が可能なセルをSCellに設定して設定を完了する（Ｓ１１４）。Ａが正常処理できない場合は（Ｓ１１３でｎｏ）、ＡへのPCellの設定変更（ハンドオーバ）を実施することができないので、設定を中止する（Ｓ１１５）。
【００４６】
このように、PCellやSCellの設定時には、セルごとに様々な要因でPCellやSCellの設定ができない可能性があるが、図６の手法によると各セルの設定可否状況に応じてセル設定処理フローが最適化される。
【００４７】
また、設定不可となる要因に応じてキャリアアグリゲーションの設定をリトライするか中止するかを判断するので、適切なタイミングで制御を切り上げることができる。
【００４８】
実施形態では、セル設定の可否判断を、Ｃ−ＲＮＴＩの使用可否とベースバンドリソースの有無に基づいて判断したが、これら以外のリソース割当情報を含むベースバンド処理情報に基づいて判断してもよい。たとえば、ベースバンド処理情報としてユーザ割当の優先度情報や、優先して設定すべきSCellの順序、セルごとの再送制御状況を用いてもよい。
【符号の説明】
【００４９】
１０  基地局装置（ｅＮＢ）
１１  制御部
１２  ベースバンド処理部
１３  バックホール通信部
１４  無線信号送受信部
２０  ユーザ装置（ＵＥ又は移動局）
１１１  セル変更判断部
１１２  ランダムアクセス制御部
１１３  キャリアアグリゲーション設定部
１１４  設定中止部
１２１  セル設定可否情報応答部
【図１】
2015106903.tif 000003
【図２】
2015106903.tif 000004
【図３】
2015106903.tif 000005
【図４】
2015106903.tif 000006
【図５】
2015106903.tif 000007
【図６】
2015106903.tif 000008